(57)【要約】【課題】津波到来時の避難場所として利用できるとともに災害後の避難生活の場として活用することが可能な避難用建物を提供すること。【解決手段】少なくとも最上階に津波到来時の避難スペースＳ１を有する多層階建ての避難用建物Ｔ１であって、コア構造体１と、コア構造体１を囲むように配置された外側構造体２とを備え、コア構造体１および外側構造体２の少なくとも一方は、上階又は下階への昇降通路１４，２５を有し、外側構造体２の少なくとも一つの階に、災害後に搬入される居住用筐体Ｋを据え付けるための筐体設置スペースＳ２を有することを特徴とする。【選択図】図２
2014202039.tif 000002
【特許請求の範囲】
【請求項１】
少なくとも最上階に津波到来時の避難スペースを有する多層階建ての避難用建物であって、
少なくとも一つの階に、災害後に搬入される居住用筐体を据え付けるための筐体設置スペースを有することを特徴とする避難用建物。
【請求項２】
コア構造体と、
前記コア構造体を囲むように配置された外側構造体とを備え、
前記コア構造体および前記外側構造体の少なくとも一方は、上階又は下階への昇降通路を有し、
前記筐体設置スペースが前記外側構造体に設けられていることを特徴とする請求項１に記載の避難用建物。
【請求項３】
前記外側構造体の少なくとも一つの階に設けられた複数の前記筐体設置スペースが、前記コア構造体を中心として放射状に配置されていることを特徴とする請求項２に記載の避難用建物。
【請求項４】
前記外側構造体は、前記昇降通路の一部となるスロープを有することを特徴とする請求項２又は請求項３に記載の避難用建物。
【請求項５】
踊り場を介して複数の前記スロープを連ねることによって、前記避難スペースに至る避難通路が形成されていることを特徴とする請求項４に記載の避難用建物。
【請求項６】
前記外側構造体は、前記居住用筐体を支持可能な支持スラブを有することを特徴とする請求項２乃至請求項５のいずれか一項に記載の避難用建物。
【請求項７】
前記支持スラブ上に、前記昇降通路と前記筐体設置スペースとを繋ぐアクセス通路が確保されていることを特徴とする請求項６に記載の避難用建物。
【請求項８】
前記外側構造体は、前記居住用筐体を支持可能な梁を有することを特徴とする請求項２乃至請求項５のいずれか一項に記載の避難用建物。
【請求項９】
前記コア構造体は、床スラブを有し、
前記床スラブ上に、前記昇降通路と前記筐体設置スペースとを繋ぐアクセス通路が確保されていることを特徴とする請求項８に記載の避難用建物。
【請求項１０】
前記梁は、前記筐体設置スペースの外側に配置されており、前記梁から前記筐体設置スペースに向かって張り出すブラケットおよび前記居住用筐体から前記梁に向かって張り出すブラケットの少なくとも一方を介して前記居住用筐体を支持する、ことを特徴とする請求項８又は請求項９に記載の避難用建物。
【請求項１１】
前記避難スペースには、前記居住用筐体を上下方向に挿通可能な据付用開口部が形成されており、
前記据付用開口部は、避難者を支持可能かつ取り外し可能な蓋材によって覆われていることを特徴とする請求項１０に記載の避難用建物。
【請求項１２】
前記筐体設置スペースは、避難者を支持可能かつ取り外し可能な蓋材によって覆われていることを特徴とする請求項８乃至請求項１１のいずれか一項に記載の避難用建物。
【請求項１３】
前記外側構造体の外周側面に、前記居住用筐体を挿通可能な据付用開口部が形成されていることを特徴とする請求項２乃至請求項１２のいずれか一項に記載の避難用建物。
【発明の詳細な説明】
【技術分野】
【０００１】
本発明は、避難用建物に関する。
【背景技術】
【０００２】
津波の襲来が想定される地域では、高所に避難場所を確保する必要がある。高台や高層建物を避難場所として利用することもできるが、高層建物等が少ない地域等においては、津波に耐え得る避難用建物を構築する必要がある。この種の避難用建物としては、特許文献１の避難タワーが知られている。
【先行技術文献】
【特許文献】
【０００３】
【特許文献１】特許第３９１１６１５号公報
【発明の概要】
【発明が解決しようとする課題】
【０００４】
特許文献１には、避難タワーの内側の地表面に複数のユニット式部屋構成体を積層した事例が記載されているが、このユニット式部屋構成体は、津波到来前に日々使用するものであり、津波が引いた後に使用することは想定されていない。また、このユニット式部屋構成体は、津波到来時に水没して使用不能になるが、避難タワーから抜け出ないように配置されているため、簡単には撤去することができず、そのまま避難タワー内に残置しなければならない。
【０００５】
このように、特許文献１の避難用建物は、津波到来時までの使用を想定しており、大津波や大地震後の避難生活等の場としては不向きである。  
【０００６】
このような観点から、本発明は、津波到来時の避難場所として利用できるとともに災害後の避難生活の場として活用することが可能な避難用建物を提供することを課題とする。
【課題を解決するための手段】
【０００７】
前記課題を解決する本発明は、少なくとも最上階に津波到来時の避難スペースを有する多層階建ての避難用建物であって、少なくとも一つの階に、災害後に搬入される居住用筐体を据え付けるための筐体設置スペースを有することを特徴とする。
【０００８】
大地震や大津波等の災害に見舞われた後に仮設住宅用の土地を確保しようとすると、利害関係の調整に手間取るなどして仮設住宅を迅速に供給できない虞があるが、本発明に係る避難用建物によれば、居住用筐体を据え付けるための筐体設置スペースが予め確保されているので、災害後速やかに居住用筐体を設置することができる。つまり、本発明に係る避難用建物は、津波到来時の避難場所として利用できるとともに、災害後においては仮設住宅の設置場所として活用することが可能になる。
【０００９】
本発明に係る避難用建物は、コア構造体と、前記コア構造体を囲むように配置された外側構造体とを備えるものでもよい。この場合には、前記コア構造体および前記外側構造体の少なくとも一方に上階又は下階への昇降通路を設け、前記外側構造体に前記筐体設置スペースを設けるとよい。
【００１０】
筐体設置スペースを外側構造体に設けておけば、居住用筐体の搬入作業が容易になる。また、内外二つの構造体（コア構造体および外側構造体）が形成されるので、地震力や津波波力を上回る水平耐力を容易に確保することができる。
【００１１】
前記外側構造体の少なくとも一つの階に複数の前記筐体設置スペースを設ける場合には、前記コア構造体を中心として放射状に配置するとよい。このようにすると、各筐体設置スペースに居住用筐体を据え付けた際、同一階において隣り合う居住用筐体が適度に離間するようになるので、避難生活者のプライバシーを確保することが可能になる。
【００１２】
スロープを昇降通路の一部とする場合には、外側構造体に設けるとよい。外側構造体にスロープを設けると、コア構造体に設けた場合に比べてスロープ長を大きく取ることができるので、スロープの勾配を緩やかにすることができ、ひいては、バリアフリー化を図ることができる。
【００１３】
さらに、踊り場を介して複数の前記スロープを連ねることによって前記避難スペースに至る避難通路を形成すれば、階段や梯子の昇降が難しい高齢者や幼児等でも、避難スペースまで速やかに移動することが可能になる。
【００１４】
前記外側構造体に、前記居住用筐体を支持可能な支持スラブを配置するとよい。面的な広がりを有する支持スラブ上を筐体設置スペースとすれば、寸法違いの居住用筐体にも対応することが可能になる。
【００１５】
居住用筐体を支持スラブで支持する場合には、当該支持スラブ上に、前記昇降通路と前記筐体設置スペースとを繋ぐアクセス通路を設けるとよい。このようにすると、スムーズな動線を確保することができる。
【００１６】
前記外側構造体に、前記居住用筐体を支持可能な梁を配置してもよい。このようにすると、外側構造体に恒久的な床材を形成する手間が省けるので、コスト削減を図ることが可能になる。
【００１７】
居住用筐体を外側構造体の梁で支持する場合には、前記コア構造体に床スラブを設け、当該床スラブ上に、前記昇降通路と前記筐体設置スペースとを繋ぐアクセス通路を設けるとよい。このようにすると、外側構造体の各階においてフロア全体に床スラブを設けないこととしても、スムーズな動線を確保することができる。
【００１８】
前記梁は、前記筐体設置スペースの外側に配置するとよい。このようにすると、梁で囲まれたスペースを通じて居住用筐体を下階に吊り降ろすことが可能になる。この場合には、前記梁から前記筐体設置スペースに向かって張り出すブラケットおよび前記居住用筐体から前記梁に向かって張り出すブラケットの少なくとも一方を介して前記居住用筐体を前記梁に支持させるとよい。なお、居住用筐体を吊り降ろす際にブラケットが邪魔にならないよう、必要に応じて、ブラケットを進退可能とするか、伸縮可能または旋回可能な構成とすることが好ましい。
【００１９】
前記避難スペースに、前記居住用筐体を上下方向に挿通可能な据付用開口部を形成すれば、当該据付用開口部を通じて居住用筐体を下階に吊り降ろすことが可能になるが、この場合には、避難者を支持可能かつ取り外し可能な蓋材によって前記据付用開口部を覆うとよい。このようにすると、避難スペースの減少を避けることができるとともに、災害後においては、蓋材を取り外すだけで居住用筐体の搬入ルートを速やかに確保することが可能になる。
【００２０】
また、梁で囲まれた領域に筐体設置スペースを設ける場合には、避難者を支持可能かつ取り外し可能な蓋材によって筐体設置スペースを覆うとよい。このようにすると、筐体設置スペースを避難スペースとして活用することができるとともに、災害後においては、蓋材を取り外すだけで居住用筐体の搬入ルートを速やかに確保することが可能となる。
【００２１】
また、前記外側構造体の外周側面に前記居住用筐体を挿通可能な据付用開口部を形成しておけば、下階の居住用筐体に先立って上階の居住用筐体を設置することが可能になるので、居住用筐体の設置順序を自由に設定することができる。
【発明の効果】
【００２２】
本発明によれば、津波到来時の避難場所として利用することができ、災害後においては仮設住宅の設置場所として活用することができる。
【図面の簡単な説明】
【００２３】
【図１】本発明の第一実施形態に係る避難用建物の立面図である。
【図２】本発明の第一実施形態に係る避難用建物の中間階における平面図である。
【図３】（ａ）は本発明の第一実施形態に係る避難用建物の中間階に居住用筐体を設置した状態を示す平面図、（ｂ）は同じく最下階に居住用筐体を設置した状態を示す平面図である。
【図４】本発明の第二実施形態に係る避難用建物の立面図である。
【図５】本発明の第二実施形態に係る避難用建物の中間階における平面図である。
【図６】（ａ）は進退可能なブラケットを梁に配置した状態を示す平面図、（ｂ）は旋回可能なブラケットを梁に配置した状態を示す平面図である。
【図７】本発明の第二実施形態に係る避難用建物の最上階における平面図である。
【図８】本発明の第二実施形態に係る避難用建物の中間階に居住用筐体を設置した状態を示す平面図である。
【発明を実施するための形態】
【００２４】
（第一実施形態）
本発明の第一実施形態に係る避難用建物Ｔ１は、図１に示すように、多層階建ての建物であり、避難スペースＳ１と、筐体設置スペースＳ２と、避難通路Ｓ３とを備えている。各階の階高は、災害後に据え付けられる居住用筐体Ｋの高さ寸法よりも大きくなっている。
【００２５】
避難スペースＳ１は、津波到来時の避難場所となるスペースであり、本実施形態では、２〜４階および最上階（屋上階）の各階のフロア全体に確保されている。
【００２６】
筐体設置スペースＳ２は、居住用筐体Ｋを据え付けるためのスペースであり、本実施形態では、最下階（１階）から最上階までの各階に確保されている。なお、避難スペースＳ１が設けられた階においては、避難スペースＳ１の一部を筐体設置スペースＳ２としているので、津波到来時には、筐体設置スペースＳ２も避難場所となる。
【００２７】
避難通路Ｓ３は、最下階から最上階に至る通路であり、本実施形態では、避難用建物Ｔ１の一側面に沿ってつづら折りに配置されている。避難通路Ｓ３は、２階から最上階の各階において避難スペースＳ１に通じている。なお、図示は省略するが、建物の外周を取り囲むように避難通路を形成してもよい。
【００２８】
本実施形態の避難用建物Ｔ１は、図２に示すように、コア構造体１と、コア構造体１を囲むように配置された外側構造体２とを備えている。筐体設置スペースＳ２は、外側構造体２に設けられている。
【００２９】
コア構造物１は、基礎Ｂ（図１参照）から立ち上がる内周柱１１，１１，…と、外側構造体２との境界に沿って配置された仕切壁１２と、各階に設けられた床スラブ１３と、上階又は下階への昇降通路となる階段１４と、最下階から最上階に至るエレベータシャフト１５とを備えている。本実施形態のコア構造体１は、平面視矩形状を呈している。
【００３０】
内周柱１１は、コア構造体１の角部に配置されており、床スラブ１３および階段１４を支持している。コア構造物１内の昇降通路（階段１４）は、津波到来時においては避難通路となる。
【００３１】
外側構造体２は、基礎Ｂ（図１参照）から立ち上がる外周柱２１と、２階から最上階の各階に設けられた支持スラブ２２および床スラブ２３と、上下階の中間に設けられた踊り場２４と、床スラブ２３から踊り場２４に至るスロープ２５と、適所に配置された転落防止柵２６（図１参照）とを備えている。また、外側構造体２の外周側面には、居住用筐体Ｋを挿通可能な据付用開口部２ａが形成されている。
【００３２】
外周柱２１は、外側構造体２の外周縁に配置されており、支持スラブ２２、床スラブ２３、踊り場２４およびスロープ２５を支持している。
【００３３】
支持スラブ２２は、コア構造体１と外周柱２１とに支持されたスラブであり、居住用筐体Ｋを支持可能な強度・剛性を備えている。本実施形態の支持スラブ２２は、平面視矩形状を呈している。支持スラブ２２のうちのコア構造体１に臨む一辺側の縁部は、コア構造体１に支持されており、一辺の対辺である他辺側の縁部は、二本の外周柱２１，２１に支持されている。
【００３４】
各階の階高は、居住用筐体Ｋの高さ寸法よりも大きく（図１参照）、支持スラブ２２を支持する一対の外周柱２１，２１は、居住用筐体Ｋの一辺（本実施形態では短辺）よりも大きな間隔をあけて対向している。また、一対の外周柱２１，２１と上下階の支持スラブ２２，２２とで形成された架構の内部には、耐力壁やブレースなどが配置されていない。つまり、本実施形態では、前記架構で囲まれた領域全体を外側構造体２の外周側面に開放することで、据付用開口部２ａを形成している。
【００３５】
本実施形態では、一つの階に三つの支持スラブ２２が配置されている。三つの支持スラブ２２，２２，２２は、コア構造体１を中心にして放射状に配置されている。なお、支持スラブ２２の数や配置は適宜変更してもよい。例えば図２において一点鎖線で示すように、隣り合う支持スラブ２２，２２の間に支持スラブ２２’を形成してもよい。この場合、図示せぬ外周柱や中間の柱が適宜用いられる。
【００３６】
支持スラブ２２の上面には、筐体設置スペースＳ２（図２においてドットを付した部分）と、通路スペースＳ４とが確保されている。
【００３７】
筐体設置スペースＳ２は、一つの支持スラブ２２に一つずつ設けられている。一つの階に設けられた複数（本実施形態では三つ）の筐体設置スペースＳ２は、コア構造体１を中心として放射状に配置されている。筐体設置スペースＳ２の面積は、少なくとも居住用筐体Ｋの床面積の半分以上とすることが好ましい。なお、筐体設置スペースＳ２の数や配置は適宜変更してもよい。例えば、図示は省略するが、一つの支持スラブ２２に複数の筐体設置スペースを確保してもよいし、二つ以上の支持スラブ２２に跨がって筐体設置スペースを確保してもよい。
【００３８】
通路スペースＳ４は、筐体設置スペースＳ２の周囲に確保されており、筐体設置スペースＳ２に居住用筐体Ｋを据え付けた際には、昇降通路（階段１４、スロープ２５）と筐体設置スペースＳ２とを繋ぐアクセス通路の一部となる。本実施形態の通路スペースＳ４は、平面視コ字状を呈しているが、筐体設置スペースＳ２の位置等に応じて平面視直線状、Ｌ字状、ロ字状としてもよい。なお、筐体設置スペースＳ２および通路スペースＳ４は、津波到来時においては避難スペースＳ１となる。
【００３９】
図示は省略するが、支持スラブ２２には、筐体固定用の治具を予め取り付けておくとよい。この治具は、居住用筐体Ｋを支持スラブ２２に固定する際に利用される例えばアンカーやブラケットなどである。治具の取付位置や取付方法に制限はないが、例えば、支持スラブ２２がコンクリート製であるときには、筐体設置スペースＳ２の外縁付近のコンクリートに埋設し、支持スラブ２２が鋼製であるときには筐体設置スペースＳ２の外縁付近に溶接接合あるいはボルト接合しておけばよい。
【００４０】
床スラブ２３は、津波到来時においては避難スペースとなり、筐体設置スペースＳ２に居住用筐体Ｋを据え付けた際には、昇降通路（階段１４、スロープ２５）と筐体設置スペースＳ２とを繋ぐアクセス通路の一部となる。本実施形態では、一の支持スラブ２２とスロープ２５との間に平面視矩形状の床スラブ２３を設け、二つの支持スラブ２２，２２の間に平面視三角形状の床スラブ２３を設けているが、床スラブ２３の位置、形状等は適宜変更してもよい。なお、図２中の点線は、支持スラブ２２と床スラブ２３の境界を示す仮想線である。
【００４１】
踊り場２４は、上下階の中間に設けられたスラブである。本実施形態では、コア構造体１を挟んで対向する一対の支持スラブ２２，２２の一方側に床スラブ２３を配置し、他方側に踊り場２４を配置している。
【００４２】
スロープ２５は、上階又は下階への昇降通路の一部であり、コア構造体１の側方に配置されている。スロープ２５の一端は、床スラブ２３に接続されており、スロープ２５の他端は、踊り場２４に接続されている。スロープ２５の一端側に位置する床スラブ２３は、コア構造体１を挟んで対向する一対の支持スラブ２２，２２の一方に接続されており、スロープ２５の他端側に位置する踊り場２４は、他のスロープ２５に接続されている。図１に示すように、床スラブ２３および踊り場２４を介して連なる複数のスロープ２５，２５，…は、上下階を繋ぐ昇降通路であるとともに、最下階から各避難スペースＳ１に至る避難通路Ｓ３でもある。
【００４３】
居住用筐体Ｋは、仮設住宅として災害後に避難用建物Ｔ１に搬入されるものであり、図３の（ａ）および（ｂ）に示すように、居住用筐体Ｋの内部には、避難生活に必要な備品（寝具、トイレ、浴室など）が備えられている。居住用筐体Ｋは、運搬や据付作業を速やかに行えるよう、シンプルな形状（本実施形態では直方体状）を呈している。なお、本実施形態の居住用筐体Ｋは、その一部が支持スラブ２２からはみ出した状態で据え付けられているが、居住用筐体Ｋの全体を支持スラブ２２上に位置させた状態で据え付けても勿論差し支えない。
【００４４】
本実施形態では、避難生活者の居室となる居住用筐体Ｋを２階から最上階の各階に設置し、トイレを収容した居住用筐体Ｋおよび浴室を収容した居住用筐体Ｋを最下階（１階）に設置しているが、適宜変更してもよい。なお、水回り系の居住用筐体Ｋを最下階に設置しておけば、上下水道の配管敷設作業が容易になるとともに、避難用建物Ｔ１以外の施設に避難している避難者も利用し易くなるので、好適である。
【００４５】
居住用筐体Ｋの構造や材質に制限はないが、貨物輸送用のコンテナを利用すると、製作コストや運送コストを抑えることが可能となる。なお、居住用筐体Ｋを据え付ける時期は、津波災害後に限定されるものではない。津波以外の災害（土砂崩れ、河川の氾濫、火災、台風、竜巻等）に見舞われ、長期間の避難生活を余儀なくされるケースにおいても、居住用筐体Ｋを設置することができる。
【００４６】
最上階の筐体設置スペースＳ２に居住用筐体Ｋを据え付ける場合には、クレーン等の揚重装置を利用して居住用筐体Ｋを筐体設置スペースＳ２（支持スラブ２２）に載置し、その後、支持スラブ２２に設けた治具等を利用して居住用筐体Ｋを固定すればよい。また、最上階以外の筐体設置スペースＳ２に居住用筐体Ｋを据え付ける場合には、揚重装置やフォークリフト等を利用して居住用筐体Ｋを持ち上げ、外側構造体２の外周側面に設けた据付用開口部２ａを通じて居住用筐体Ｋの少なくとも一部を外側構造体２内に挿通した後、筐体設置スペースＳ２（支持スラブ２２）に載置し、その後、支持スラブ２２に設けた治具を利用して居住用筐体Ｋを固定すればよい。
【００４７】
而して、避難用建物Ｔ１の作用効果は次のとおりである。
避難用建物Ｔ１によれば、居住用筐体Ｋを据え付けるための筐体設置スペースＳ２が予め確保されているので、災害後速やかに居住用筐体Ｋを設置することができる。つまり、避難用建物Ｔ１は、津波到来時の避難場所として利用できるとともに、災害後においては仮設住宅の設置場所として活用することが可能になる。
【００４８】
避難用建物Ｔ１では、筐体設置スペースＳ２を外側構造体２に設けているので、居住用筐体Ｋの搬入作業が容易になる。また、内外二つの構造体（コア構造体１および外側構造体２）が形成されるので、地震力や津波波力を上回る水平耐力を容易に確保することができる。
【００４９】
避難用建物Ｔ１では、コア構造体１を中心として複数の筐体設置スペースＳ２，Ｓ２，Ｓ２を放射状に配置しているので、各筐体設置スペースＳ２に居住用筐体Ｋを据え付けた際、同一階において隣り合う居住用筐体Ｋ，Ｋが適度に離間するようになり、ひいては、避難生活者のプライバシーを確保することが可能となる。
【００５０】
避難用建物Ｔ１では、外側構造体２にスロープ２５を設けているので、コア構造体１に設けた場合に比べてスロープ長を大きく取ることができる。つまり、避難用建物Ｔ１によれば、スロープ２５の勾配を緩やかにすることができるので、バリアフリー化を図ることができる。
【００５１】
避難用建物Ｔ１では、踊り場２４を介して複数のスロープ２５，２５，…を連ねることによって避難通路Ｓ３を形成しているので、階段や梯子の昇降が難しい高齢者や幼児等でも、避難スペースＳ１まで速やかに移動することが可能になる。
【００５２】
避難用建物Ｔ１では、面的な広がりを有する支持スラブ２２上を筐体設置スペースＳ２としているので、寸法違いの居住用筐体Ｋにも対応することが可能となる。
【００５３】
避難用建物Ｔ１では、昇降通路（階段１４、スロープ２５）と筐体設置スペースＳ２とを繋ぐアクセス通路（通路スペースＳ４）を支持スラブ２２上に設けているので、スムーズな動線を確保することができる。
【００５４】
なお、本実施形態では、コア構造体１および外側構造体２の構造形式をフラットスラブ構造（梁を介さずにスラブを柱で支持する構造）としているが、床スラブ１３，２３および支持スラブ２２を支持する梁を設けて柱梁構造（ラーメン構造）としてもよいし、柱・梁を省略して壁式構造としてもよい。また、コア構造体１および外側構造体２を構成する各部材の構造種別にも制限はなく、鉄筋コンクリート構造、鉄骨鉄筋コンクリート構造、鉄骨構造などの中から適宜選定すればよい。
【００５５】
本実施形態では、コア構造体１の平面形状を矩形としているが、円形、楕円形、多角形としてもよい。また、外側構造体２の平面形状を適宜変更しても差し支えない。
【００５６】
（第二実施形態）
本発明の第二実施形態に係る避難用建物Ｔ２は、図４に示すように、多層階建ての建物であり、避難スペースＳ１と、筐体設置スペースＳ２と、避難通路Ｓ３とを備えている。なお、第一実施形態に係る避難用建物Ｔ１と同様の構成については、適宜説明を省略する。
【００５７】
避難スペースＳ１は、２階から最上階（屋上階）までの適所に確保されており、筐体設置スペースＳ２は、最下階（１階）から最上階までの各階に確保されている。
【００５８】
本実施形態の避難用建物Ｔ２は、図５に示すように、コア構造体３と、コア構造体３を囲むように配置された外側構造体４とを備えている。外側構造体４の各階には、複数（図５では三つ）の筐体設置スペースＳ２，Ｓ２，…が配置されている。複数の筐体設置スペースＳ２，Ｓ２，…は、コア構造体３を中心として放射状に配置されている。
【００５９】
コア構造体３は、基礎Ｂ（図４参照）から立ち上がる内周柱３１，３１，…と、外側構造体２との境界に沿って配置された内周梁３２と、各階に設けられた床スラブ３３と、最下階から最上階に至るエレベータシャフト３４とを備えている。本実施形態のコア構造体３は、平面視六角形状を呈している。
【００６０】
内周柱３１は、コア構造体３の角部に配置されており、内周梁３２を支持している。内周梁３２は、隣り合う内周柱３１，３１に架設されており、床スラブ３３を支持している。床スラブ３３は、昇降通路（スロープ４７、階段４８）と筐体設置スペースＳ２，Ｓ２，…とを繋ぐアクセス通路として利用されるとともに、津波到来時においては避難スペースＳ１となる。
【００６１】
外側構造体４は、基礎Ｂ（図４参照）から立ち上がる外周柱４１と、隣り合う外周柱４１，４１に架設された外周梁４２と、内周柱３１と外周柱４１とに架設された繋ぎ梁４３と、隣り合う繋ぎ梁４３，４３を繋ぐ中間梁４４と、２階から最上階の各階に設けられた床スラブ４５と、上下階の中間に設けられた踊り場４６と、床スラブ４５から踊り場４６に至るスロープ４７と、下階の床スラブ４５から上階の床スラブ４５に至る階段４８と、適所に配置された転落防止柵４９（図４参照）とを備えている。
【００６２】
外周柱４１は、外側構造体４の外周縁に配置されており、外周梁４２および繋ぎ梁４３を支持している。
【００６３】
外周梁４２は、外側構造体４の外周縁に沿って配置されている。複数の外周梁４２，４２，…の一部は、床スラブ４５、スロープ４７および階段４８を支持している。
【００６４】
繋ぎ梁４３は、コア構造体３の六つの内周柱３１のうちの五つから外側構造体４の外周縁に向かって延出している。繋ぎ梁４３の先端（外周縁側の端部）は、外周柱４１に支持されている。コア構造体３の六つの内周柱３１のうちの三つの内周柱３１からは、二本の繋ぎ梁４３がそれぞれ別の外周柱４１に向かって延出しており、二つの内周柱３１からは、一本の繋ぎ梁４３が前記の外周柱４１とは別の外周柱４１に向かって延出している。つまり、複数の繋ぎ梁４３の先端は、それぞれ異なる外周柱４１に支持されている。
【００６５】
複数の外周梁４２，４２，…のうち、一の筐体設置スペースＳ２に沿う外周梁４２は、当該筐体設置スペースＳ２の外側に配置されるとともに、当該筐体設置スペースＳ２に沿う内周梁３２と平行に配置されている。また、複数の繋ぎ梁４３，４３，…のうち、一の筐体設置スペースＳ２に沿う二本の繋ぎ梁４３，４３は、当該筐体設置スペースＳ２の外側に配置されるとともに、当該筐体設置スペースＳ２に沿う内周梁３２および外周梁４２と直交して配置されている。
【００６６】
一の筐体設置スペースＳ２の外縁に沿って配置される内周梁３２、外周梁４２および繋ぎ梁４３，４３は、平面視長方形を呈する筐体支持枠を構成している。この筐体支持枠は、居住用筐体Ｋを支持し得るように構成されており、筐体支持枠を構成する各梁は、居住用筐体Ｋを支持可能な強度・剛性を備えている。筐体支持枠の内部空間は、居住用筐体Ｋを上下方向に挿通可能な大きさを有している。すなわち、筐体支持枠を構成する内周梁３２および外周梁４２は、居住用筐体Ｋの一辺（本実施形態では長辺）よりも大きな間隔をあけて対向しており、筐体支持枠を構成する繋ぎ梁４３，４３は、居住用筐体Ｋの他辺（本実施形態では短辺）よりも大きな間隔をあけて対向している。なお、本実施形態では、筐体支持枠内にブレース、横梁、火打等の構造材を配置していないが、居住用筐体Ｋを上下方向に挿通可能な空間を確保できる場合、あるいは、外側構造体４の外周側面に居住用筐体Ｋを横方向に挿通可能な据付用開口部を確保できる場合であれば、ブレース等の構造材を配置してもよい。
【００６７】
筐体支持枠を構成する繋ぎ梁４３，４３には、図６の（ａ）に示すように、繋ぎ梁４３から筐体設置スペースＳ２に向かって張り出すブラケット４３ａが設けられている。なお、図示は省略するが、内周梁３２または外周梁４２にブラケットを設けてもよい。
【００６８】
ブラケット４３ａは、繋ぎ梁４３と居住用筐体Ｋとの間に介設されるものである。本実施形態のブラケット４３ａは、繋ぎ梁４３の上面に設けられており、かつ、状況に応じて筐体支持ポジションと待避ポジションを選択できるよう、筐体支持枠の構面に平行な面内において繋ぎ梁４３に交差する方向にスライド可能（進退可能）である。筐体支持ポジションとは、居住用筐体Ｋを支持可能なポジション（ブラケット４３ａの少なくとも一部分が筐体設置スペースＳ２に入り込むポジション）であり、待避ポジションとは、ブラケット４３ａと居住用筐体Ｋとが干渉しないポジション（ブラケット４３ａの全体が筐体設置スペースＳ２の外側に位置したポジション）である。筐体支持ポジションのブラケット４３ａは、片持ち状態で繋ぎ梁４３に支持されている。なお、図示は省略するが、ブラケット４３ａの先端部を、反対側の繋ぎ梁４３から延びる他のブラケット４３ａに接合するか、あるいは、ブラケット４３ａの先端部を他の梁（内周梁３２、外周梁４２、反対側の繋ぎ梁４３）まで延出させ、筐体支持ポジションのブラケット４３ａを両持ち状態で支持してもよい。
【００６９】
本実施形態では、支持枠の構面に沿って進退するブラケット４３ａを例示したが、図６の（ｂ）に示すように、ブラケット４３ａに代えて、支持枠の構面に平行な面内で旋回するブラケット４３ｂを設けてもよい。
【００７０】
ブラケット４３ｂは、筐体支持ポジション（ブラケット４３ｂが繋ぎ梁４３から張り出している状態）と待避ポジション（ブラケット４３ｂが繋ぎ梁４３に沿っている状態）とを状況に応じて選択できるよう、筐体支持枠の構面に平行な面内で旋回可能である。筐体支持ポジションにあるときのブラケット４３ｂの旋回中心（ブラケット４３ｂの基端部）は、繋ぎ梁４３に支持されており、ブラケット４３ｂの先端部は、他の梁（内周梁３２または外周梁４２）に支持されている。なお、図示は省略するが、筐体支持ポジションのブラケット４３ｂを片持ち状態で支持してもよい。また、図示は省略するが、鉛直面内で旋回可能なブラケットを設けてもよい。
【００７１】
図５に示すように、中間梁４４は、一つの内周柱４１から延出する二つの繋ぎ梁４３，４３の中間部同士を繋いでいる。
【００７２】
床スラブ４５は、津波到来時においては避難スペースＳ１となり、筐体設置スペースＳ２に居住用筐体Ｋを据え付けた際には、昇降通路（スロープ４７又は階段４８）と筐体設置スペースＳ２とを繋ぐアクセス通路の一部となる。すなわち、スロープ４７に隣接した床スラブ４５は、内周梁３２を介してコア構造体３の床スラブ３３に連設されており、階段４８に隣接した床スラブ４５は、内周梁３２を介してコア構造体３の床スラブ３３に連設されている。
【００７３】
スロープ４７は、上階又は下階への昇降通路を構成するものであり、コア構造体１の側方に配置されている。スロープ４７の一端は、床スラブ４５に接続されており、スロープ４７の他端は、踊り場４６に接続されている。床スラブ４５および踊り場４６を介して連なる複数のスロープ４７，４７，…は、上下階を繋ぐ昇降通路であるとともに、最下階から避難スペースＳ１に至る避難通路Ｓ３でもある（図４参照）。
【００７４】
図７に示すように、外側構造体４の最上階においては、一つの内周柱３１から延出する二つの繋ぎ梁４３，４３の間に、避難スペースＳ１となる床材５１が配置されている。床材５１は、避難者を支持可能な強度・剛性を備えた部材からなり、外周梁４２、繋ぎ梁４３，４３および中間梁４４（図５参照）に支持されている。
【００７５】
また、外側構造体４の最上階においては、筐体支持枠（内周梁３２、外周梁４２および繋ぎ梁４３，４３）によって囲まれた筐体設置スペースＳ２が、複数の蓋材５２，５２，…によって覆われている。蓋材５２は、繋ぎ梁４３，４３に架設されている。本実施形態の蓋材５２は、避難者を支持可能な強度・剛性を備えたグレーチングからなり、津波到来時においては避難スペースＳ１となる。なお、蓋材５２は、ボルト・ナットなど取り外し可能な手段を用いて繋ぎ梁４３に固定されていて、居住用筐体Ｋを設置する際には撤去される。また、蓋材５２の材質等に制限はなく、グレーチングに代えて、コンクリート板や鉄板などを使用してもよい。なお、本実施形態では、一の筐体設置スペースを複数の蓋材５２で覆った場合を例示したが、一枚の蓋材で覆っても勿論差し支えない。
【００７６】
蓋材５２を取り外すと、居住用筐体Ｋを上下方向に挿通可能な据付用開口部４ｃが出現する。すなわち、避難スペースＳ１には、据付用開口部４ｃが形成されており、この据付用開口部４ｃは、蓋材５２によって覆われている。
【００７７】
なお、図示は省略するが、床材５１および蓋材５２の少なくとも一方を最上階以外の階に配置してもよい。
【００７８】
筐体設置スペースＳ２に居住用筐体Ｋを据え付ける場合には、蓋材５２を取り外して据付用開口部４ｃを出現させた後、据付用開口４ｃを通じて居住用筐体Ｋを吊り降ろせばよい。居住用筐体Ｋは、最下階から順に設置する。なお、最下階の筐体設置スペースＳ２に居住用筐体Ｋを吊り降ろす場合には、２階から最上階の各階において筐体支持枠のブラケット４ａ（図６の（ａ）参照）を待避ポジションに位置させておく。また、２階以上の階の筐体設置スペースＳ２に居住用筐体Ｋを据え付ける場合には、居住用筐体Ｋを設置する階においてブラケット４ａを筐体支持ポジションに移動させたうえで、据付用開口４ｃを通じて居住用筐体Ｋを吊り降ろし、居住用筐体Ｋをブラケット４ａに載置すればよい。なお、図示は省略するが、居住用筐体Ｋの一辺又は二辺を筐体支持枠上に直接載置してもよい。
【００７９】
なお、図８に示すように、本実施形態でも、避難生活者の居室となる居住用筐体Ｋを２階から最上階の各階に設置しているが、適宜変更してもよい。また、図示は省略するが、トイレを収容した居住用筐体Ｋおよび浴室を収容した居住用筐体Ｋを最下階に設置しておけば、避難用建物Ｔ２以外の施設に避難している避難者も利用し易くなるので、好適である。なお、避難スペースＳ１ないし居住用筐体Ｋを設置した後の通路部分で転落の可能性のある部分には、転落防止柵が設置される。
【００８０】
而して、避難用建物Ｔ２の作用効果は次のとおりである。
避難用建物Ｔ２によれば、居住用筐体Ｋを据え付けるための筐体設置スペースＳ２が予め確保されているので、災害後速やかに居住用筐体Ｋを設置することができる。つまり、避難用建物Ｔ２は、津波到来時の避難場所として利用できるとともに、災害後においては仮設住宅の設置場所として活用することが可能となる。
【００８１】
避難用建物Ｔ２では、筐体設置スペースＳ２を外側構造体４に設けているので、居住用筐体Ｋの搬入作業が容易になる。また、内外二つの構造体（コア構造体３および外側構造体４）が形成されるので、地震力や津波波力を上回る水平耐力を容易に確保することができる。
【００８２】
避難用建物Ｔ２では、コア構造体３を中心として放射状に複数の筐体設置スペースＳ２，Ｓ２，Ｓ２を配置しているので、各筐体設置スペースＳ２に居住用筐体Ｋを据え付けた際、同一階において隣り合う居住用筐体Ｋ，Ｋが適度に離間するようになり、ひいては、避難生活者のプライバシーを確保することが可能となる。
【００８３】
避難用建物Ｔ２では、外側構造体４にスロープ４７を設けているので、コア構造体３に設けた場合に比べてスロープ長を大きく取ることができる。つまり、避難用建物Ｔ２によれば、スロープ４７の勾配を緩やかにすることができるので、バリアフリー化を図ることができる。
【００８４】
避難用建物Ｔ２では、踊り場４６を介して複数のスロープ４７，４７，…を連ねることによって避難通路Ｓ３を形成しているので、階段や梯子の昇降が難しい高齢者や幼児等でも、避難スペースＳ１まで速やかに移動することが可能になる。
【００８５】
また、避難用建物Ｔ２では、居住用筐体Ｋを支持枠（内周梁３２、外周梁４２および繋ぎ梁４３，４３）で支持し、筐体支持枠内に恒久的な床材を形成していないので、コスト削減を図ることが可能になる。
【００８６】
なお、避難用建物Ｔ２では、昇降通路（スロープ４７、階段４８）と筐体設置スペースＳ２とを繋ぐアクセス通路の一部をコア構造体３の床スラブ３３上に設けているので、外側構造体４の全面に亘って恒久的な床材を形成せずとも、スムーズな動線を確保することができる。
【００８７】
また、避難用建物Ｔ２では、避難スペースＳ１のうち、筐体設置スペースＳ２となる領域に据付用開口部４ｃを形成しているものの、この据付用開口部４ｃ（すなわち、筐体設置スペースＳ２）を蓋材５２によって覆っているので、避難スペースＳ１の減少を避けることができるとともに、災害後においては、蓋材５２を取り外すだけで居住用筐体Ｋの搬入ルートを速やかに確保することが可能となる。
【００８８】
なお、コア構造体３および外側構造体４の構造形式は、適宜変更してよいし、コア構造体３および外側構造体４を構成する各部材の構造種別も適宜変更してもよい。
【００８９】
本実施形態では、コア構造体３の平面形状を六角形としているが、円形、楕円形、六角形以外の多角形としてもよい。また、外側構造体４の平面形状を変更しても勿論差し支えない。
【００９０】
本実施形態では、繋ぎ梁４３にブラケット４３ａを設けた場合を例示したが、進退可能、伸縮可能または旋回可能なブラケットを居住用筐体Ｋに設けてもよい。
【００９１】
なお、梁および居住用筐体Ｋのいずれにもブラケットを設けない場合には、下階の居住用筐体Ｋを設置した後に、上階の居住用筐体Ｋを支持する部材を繋ぎ梁４３等に後付けすればよい。
【符号の説明】
【００９２】
Ｔ１  避難用建物
Ｓ１  避難スペース
Ｓ２  筐体設置スペース
Ｓ３  避難通路
Ｋ    居住用筐体
１    コア構造体
１１  内周柱
１２  仕切壁
１３  床スラブ
２    外側構造体
２１  外周柱
２２  支持スラブ
２３  床スラブ
２４  踊り場
２５  スロープ
【００９３】
Ｔ２  避難用建物
Ｓ１  避難スペース
Ｓ２  筐体設置スペース
Ｓ３  避難通路
Ｋ    居住用筐体
３    コア構造体
３１  内周柱
３２  内周梁
３３  床スラブ
４    外側構造体
４１  外周柱
４２  外周梁
４３  繋ぎ梁
４５  床スラブ
４６  踊り場
４７  スロープ
【図１】
2014202039.tif 000003
【図２】
2014202039.tif 000004
【図３】
2014202039.tif 000005
【図４】
2014202039.tif 000006
【図５】
2014202039.tif 000007
【図６】
2014202039.tif 000008
【図７】
2014202039.tif 000009
【図８】
2014202039.tif 000010